【事件の表示】
　平成　９年商標登録願第１２８１７８号拒絶査定に対する審判事件について、次のとおり審決する。
【結　論】
　本件審判の請求は、成り立たない。
【理　由】
第１　本願商標
　本願商標は、別掲に表示したとおりの構成よりなり、第１８類「皮革，かばん類，袋物，携帯用化粧道具入れ，かばん金具，がま口口金，傘，ステッキ，つえ，つえ金具，つえの柄，乗馬用具，愛玩動物用被服類」を指定商品として、平成９年６月１８日に登録出願されたものである。
　
第２　原査定の拒絶の理由
　原査定において、「本願商標は、その構成中に、イタリア国ミラノ市在住の「Ｇｉｏｒｇｉｏ　Ａｒｍａｎｉ」が「婦人・紳士物の衣料品」等に使用している著名な商標「ＡＲＭＡＮＩ」の文字を含むものであるから、これを出願人が指定商品に使用するときは需要者は上記会社もしくは上記会社と何らかの関係を有する者の業務に係る商品であるかのように商品の出所について混同を生じさせるおそれがある。したがって、本願商標は、商標法第４条第１項第１５号に該当する。」と認定して、本願を拒絶したものである。
　
第３　当審の判断
１．「ＡＲＭＡＮＩ」の著名性について
　「ＧＩＯＲＧＩＯ ＡＲＭＡＮＩ」及び「ＡＲＭＡＮＩ」（アルマーニ）の文字よりなる標章は、商品「紳士、婦人服、ネクタイ、靴下、帽子、手袋、傘、眼鏡、ベルト、ハンドバッグ、宝飾品」等に使用した結果、本願商標の登録出願日前より、我が国において取引者、需要者間に広く知られ周知著名に至っていたものであり、その周知著名性は現在においても継続していることが下記の事実よって認められる。
（１）「男の一流品大図鑑」（昭和５３年７月２０日株式会社講談社発行）に、「ジョルジュ・アルマーニ」、「Ｇｉｏｒｇｉｏ　Ａｒｍａｎｉ＜イタリア＞」の見出しのもと、イタリアのデザイナーとしての紹介記事が掲載されていること。
（２）「服飾辞典」（昭和５４年３月５日第１刷文化出版局発行）の、「ジョルジョ・アルマーニ［Ｇｉｏｒｇｉｏ　Ａｒｍａｎｉ，１９３５〜］」の項に、「イタリア北部のエミリアに生まれる。医者になるため大学に行くが中退。２０歳ごろはサラリーマン、その後リナシェンテ（百貨店）に入社し、はじめて男物の服づくりを手がけ、モードの面白さを知る。その後、ヒルトンで７年間、高級紳士服の仕事を続け、１９７５年にはじめて『アルマーニ』という自分の店を開く。紳士物のエッセンスを婦人服にいかし、わずか３年間で、『ジャケットの王様』といわれるほど名がひろまる。レーンコート、シャツ、皮革製品、ニットなど、スポーティ感覚の服は現代の趣向に合い、今やミラノ・アルタ・モーダ・プロンタ（オート・クチュールのプレタ・ポルテの意であるが、彼はオート・クチュールの服はつくらない）のコレクションでは最も人気のあるスチリストの一人である。作品は、デコントラクテな傾向の都会派向きのもの、つまり、マニッシュな装いを好む人やジーンズ党にも人気がある。またアンチ・ハリウッド派の映画衣装などもアルマーニのものが多く、最近の映画では『サタディ・ナイト・フィーバー』の衣装を担当する。ミラノに住み、１日８時間から９時間を仕事に費やす。何よりも仕事が好き、というアルマーニである。」との紹介記事が掲載されていること。
（３）「田中千代服飾事典」（１９８１年４月２５日新増補第１刷同文書院発行）に、「ジョルジョ・アルマーニ［Ｇｉｏｒｇｉｏ　Ａｒｍａｎｉ］」が、イタリアのデザイナーとして掲載されていること。
（４）世界の一流品大図鑑’８１年版」（昭和５６年５月２５日株式会社講談社発行）において、「一流ブランド物語」の掲載記事の中で、「ＧＩＯＲＧＩＯ　ＡＲＭＡＮＩ」、「ジョルジョ・アルマーニ」について、イタリアのデザイナーとして掲載されていること。
（５）「舶来ブランド事典’８４ＴＨＥ　ＢＲＡＮＤ」（昭和５８年９月２８日サンケイ　マーケティング発行）において、「ジョルジョ・アルマーニ」は、イタリアのデザイナーであること、「ＧＩＯＲＧＩＯ　ＡＲＭＡＮＩ」は、紳士物の「コート、セーター、ネクタイ、ベスト、シャツ、スーツ」及び婦人物の「レインコート、オーバーコート、ジャケット、スーツ、パンツ、ブルゾン、スカート、セーター、ブラウス、マフラー、ベスト、帽子」のデザイナー・ブランドであることが掲載されていること。
（６）「男の一流品大図鑑’８５年版」（昭和５９年１２月１日株式会社講談社発行）において、「ＢＬＯＵＳＯＮ／ブルゾン」の欄に、「ＧＩＯＲＧＩＯ　ＡＲＭＡＮＩ」、「ジョルジオ・アルマーニ（イタリア）」の文字とともに、「レザーブルゾン」の価格及び商品の写真が掲載されていること。同じく、「ＮＥＣＫＴＩＥ／ネクタイ」の欄に、「ＧＩＯＲＧＩＯ　ＡＲＭＡＮＩ」、「ジョルジオ・アルマーニ（イタリア）」の文字とともに、「ネクタイ」の価格及び商品の写真が掲載されていること。
（７）「世界の一流品大図鑑’８５年版」（昭和６０年５月２５日株式会社講談社発行）において、「婦人服／Ｌａｄｉｅｓ　Ｗｅａｒ」の欄に、「ＧＩＯＲＧＩＯ　ＡＲＭＡＮＩ」、「ジョルジオ・アルマーニ（イタリア）」の文字とともに、「ジャケット、スカート、ブラウス」の商品が掲載されていること。
（８）「Ｔｈｅ一流品」（１９８６年４月１５日読売新聞社発行）において、「ＧＩＯＲＧＩＯ　ＡＲＭＡＮＩ」「ジョルジョ・アルマーニ（イタリア）」が、デザイナーとして紹介され、「ジャケット４５万円、ブラウス１５万円、スカート８５万円」との商品の価格及び「ＡＲＭＡＮＩ」のロゴが入った香水の写真が掲載されていること。
（９）「Ｈａｎａｋｏ」（１９８８年１１月２４日号株式会社マガジンハウス発行）において、表紙中央部に「羨望！アルマーニの服」との表示があること。同じく、「時代を超えるイタリアの感性　憧憬のアルマーニ」の記事に、「ブラウス、スカート、ジャケット、手袋、帽子、傘、バッグ、ベルト、財布、ワンピース、イヤリング、ブレスレット、香水、石鹸」などについての価格が表示され、「ジョルジオ　アルマーニ　ブティック東京店」の写真が掲載され、その写真に「ＧＩＯＲＧＩＯ　ＡＲＭＡＮＩ」の文字が表示されていること。また、「一歩手前の人へ。　デフュージョンブランド、エンポリオ。」の見出しにおいて、「ＥＭＰＯＲＩＯ　ＡＲＭＡＮＩ」（「ＥＭＰＯＲＩＯ」と「ＡＲＭＡＮＩ」の文字の間には、中央に「ＧＡ」の文字を白抜きにした左向きの鷲とおぼしき図形が配されている。）及び「ブラウス、コート、ブローチ、帽子、シューズ、セーター、マフラー、バッグ、ワンピース、ブルゾン、キュロットスカート」などについての価格が表示され、「ジョルジオ　アルマーニが大人のステイタスだとしたら、エンポリオはその一歩手前の若者たちのために作られたデフュージョン（普及版）ライン。・・・」との記事が掲載されていること。
（１０）「ＦＡＳＨＩＯＮ　ＳＨＯＰＰＩＮＧ　ＢＩＢＬＥ’８５　流行ブランド図鑑」（昭和６０年５月２５日株式会社講談社発行）において、「ＧＩＯＲＧＩＯ　ＡＲＭＡＮＩ」の欄に、「ＧＩＯＲＧＩＯ　ＡＲＭＡＮＩ、ジョルジオ・アルマーニ」の文字と共に、デザイナーとしての紹介記事が掲載され、「スーツ、ストライプシャツ、ベルト、プリントネクタイ、型押しレザーのシューズ」についての価格が表示されていること。
（１１）「ＭＥＮ’Ｓ　ＣＬＵＢ１９９０年８月号」（１９９０年８月１日株式会社婦人画報社発行）において、「２０世紀最高のファッションデザイナー　ジョルジオ・アルマーニに学ぶ。」の見出しのもと、デザイナーとしての紹介記事のほか、「・・・現在は、ジョルジオ・アルマーニ、エンポリオ　アルマーニ、 マーニ、アルマーニジーンズなどの代表的ブランドのほか、ジュニアクロージング、アンダーウエア、アクセサリー類、フレグランスなどもデザインしている。・・・」との記事、さらに、「ジョルジオ・アルマーニの最新コレクション。」として、「ジャケット、シャツ、パンツ、ネクタイ、スーツ、スカーフ、 靴、ヴェスト、帽子、ベルト」の商品価格が紹介されていること。
　同じく、「対象を限定しないエンポリオの服たち。」、「アルマーニの入門服として人気の高いエンポリオ　アルマーニ、幅広い商品構成も大きな魅力だ。」との見出しのもと、「ジョルジオ・アルマーニのヤングブランドとして位置付けられているエンポリオ　アルマーニ。・・・」との記事が掲載され、「コート、パンツ、ジーンズ」などの商品が紹介されていること。
（１２）「英和商品名辞典」（１９９０年第１刷株式会社研究社発行）の「Ｇｉｏｒｇｉｏ　Ａｒｍａｎｉ　ジョルジオアルマーニ」の項において、「イタリアＭｉｌａｎｏのデザイナーＧｉｏｒｇｉｏ　Ａｒｕｍａｎｉ（１９３４（３３，３５）のデザインした紳士・婦人既製服その他の衣料品・靴・革製バッグ・ 革小物・ベルト・香水など、そのメーカー・・・」、「・・・近年、価格帯を少し低めに設定したブランドＥｍｐｏｒｉｏ　Ａｒｍａｎｉを市場化しており人気 を得ている。・・・」との記事及びデザイナーとしての紹介記事が掲載されていること。
　同じく、「Ａｒｍａｎｉ　アルマーニ」の項において、「Ｇｉｏｒｇｉｏ　Ａ ｒｍａｎｉ．」を見よとの表示があること。
（１３）「世界の一流品大図鑑’９１年版」（平成３年５月２３日株式会社講談社発行）において、「ＬＡＤＩＥＳ’　ＷＥＡＲ／婦人服」の欄に、「ジャケット、ショートパンツ、ドレス」の価格入り商品が掲載され、「ＧＩＯＲＧＩＯ  ＡＲＭＡＮＩ」、「ジョルジオ　アルマーニ（イタリア）」の文字が掲載されていること。
  同じく、「ＭＥＮ’Ｓ　ＷＥＡＲ／紳士服」の欄に、「スーツ」の価格入りの商品が掲載され、「ＧＩＯＲＧＩＯ　ＡＲＭＡＮＩ」、「ジョルジオ　アルマーニ（イタリア）」の文字が掲載されていること。
　同じく、「ＳＷＥＡＴＥＲ／ＣＡＲＤＩＧＡＮ」の欄に、「セーター」の価格入りの商品が掲載され、「ＧＩＯＲＧＩＯ　ＡＲＭＡＮＩ」、「ジョルジオ　アルマーニ（イタリア）」の文字が掲載されていること。
　同じく、「ＭＥＮ’Ｓ　ＳＨＯＥＳ／紳士靴」の欄に、「靴」の価格入りの商品が掲載され、「ＧＩＯＲＧＩＯ　ＡＲＭＡＮＩ」、「ジョルジオ　アルマーニ（イタリア）」の文字が掲載されていること。
（１４）「エフピー６月号」（１９９１年６月１日株式会社学習研究社発行）において、表紙に「アルマーニの世界戦略」との特集記事の紹介がされていること。
 （１５）「世界の一流品大図鑑’９５年版」（平成７年５月１０日株式会社講談社発行）において、「ＬＡＤＩＥＳ’　ＷＥＡＲ／婦人服」の欄に、「ＧＩＯＲＧＩＯ　ＡＲＭＡＮＩ」、「ジョルジオ　アルマーニ（イタリア）」の文字とともに、「スーツ、ブラウス、ベスト、パンツ、スカーフ、キュロット」の価格表示がされていること。
　同じく、「ＭＥＮ’Ｓ　ＷＥＡＲ／紳士服」の欄に、「ＧＩＯＲＧＩＯ　ＡＲＭＡＮＩ」、「ジョルジオ　アルマーニ（イタリア）」の文字とともに、「ジャケット、パンツ、シャツ」の価格表示がされていること。
 同じく、「ＰＥＲＦＵＭＥ／香水」の欄に、「ＧＩＯＲＧＩＯ　ＡＲＭＡＮＩ」、「ジョルジオ　アルマーニ（イタリア）」の文字とともに、「オードパルファン」の価格表示がされていること。
　同じく、「ＭＥＮ’Ｓ　ＰＥＲＦＵＭＥ／メンズパヒューム」の欄に、「ＧＩＯＲＧＩＯ　ＡＲＭＡＮＩ」、「ジョルジオ　アルマーニ（イタリア）」の文字とともに、「オードトワレ、オードトワレスプレー」（商品には「ＡＲＭＡＮＩ」の商標が認められる。）の価格表示がされていること。
（１６）「世界の一流品大図鑑’９６」（平成８年５月１２日株式会社講談社発行）において、「ＷＥＡＲ［婦人服・紳士服］の欄に、「ニットジャケット、ニットパンツ」、「シャツ、スーツ、ベスト」、「オードトワレ　スプレー」、「サングラス」の各商品とその価格とともに、「ＧＩＯＲＧＩＯ　ＡＲＭＡＮＩ」、「ジョルジオ　アルマーニ（イタリア）」の文字が掲載されていること。
（１７）「外国周知商標集（伊編）」（独立行政法人工業所有権総合情報館備え付け）において、「ＧＩＯＲＧＩＯ　ＡＲＭＡＮＩ」、「ＥＭＰＯＲＩＯ　ＡＲＭＡＮＩ」が、わが国における登録商標として掲載されていること。
（１８）「外国ブランド専用使用権者名簿」（１９９３年２月社団法人日本輸入団体連合会刊行）において、凡例として「本書は、外国ブランドの模倣商品の輸入、製造及び流通を阻止するため、政府関係機関並びに全国都道府県消費者センター等の、模倣商品に関する照会や相談等の便に供するために刊行したものである。」との文が掲載され、また、「ＧＩＯＲＧＩＯ　ＡＲＭＡＮＩ」はブランドであり、「ジョルジオ　アルマーニ　ジャパン株式会社」が専用使用権者名として掲載されていること。
２．出所の混同を生ずるおそれについて
　本願商標は、別掲に表示したとおり、欧文字の「ｆａ」と「ＦＲＡＮＣＯ ＡＲＭＡＮＩ」の文字を横書きに表示した構成よりなるところ、「ｆａ」と「ＦＲＡＮＣＯ」と「ＡＲＭＡＮＩ」の各文字が分離して看取、認識されるものであり、また、両文字が結合された「ｆａ　ＦＲＡＮＣＯ ＡＲＭＡＮＩ」全体をもつて、一般に親しまれた特定の熟語を表すものとは認め得ないところである。
　してみれば、上記したとおり、「ＧＩＯＲＧＩＯ ＡＲＭＡＮＩ」及び「ＡＲＭＡＮＩ」（アルマーニ）が周知著名であること、他に「ＡＲＭＡＮＩ」（アルマーニ）の文字を含む標章を使用していること、本願商標の指定商品が「かばん類，袋物，傘」等ファッション関連商品であること等を考慮すれば、本願商標をその指定商品に使用する場合は、取引者、需要者をして、「ＧＩＯＲＧＩＯ ＡＲＭＡＮＩ」（ジョルジオアルマーニ）のデザインに係る商品、若しくは、同人と組織的、経済的に何らかの関係がある者の業務に係る商品であるかのように、商品の出所について混同を生ずるおそれがあるものと認める。
　したがって、本願商標が商標法第４条第１項第１５号に該当するものとして、本願を拒絶した原査定は、妥当であって取り消すべき限りでない。
　よって、結論のとおり審決する。